(57)【要約】【課題】タクシー事業における営業形態に関わらず自動的に最適な車両の配置位置が決定され効率よくお客様を獲得可能なタクシーの最適配置システムを提供する【解決手段】タクシー事業者の営業圏を複数の配置先地区に区画して、当該配車先地区毎の実車実績情報に基づいて、需要予測を算出し、算出した需要予測の多い配置先地区に、必要な台数（適正台数）の空車車両が自動的に配置され、さらに、配置された車両の表示手段に配置先地区の地図データや周回ルートが表示されるタクシーの最適配置システムとした。【選択図】図９
2014006890.tif 000002
【特許請求の範囲】
【請求項１】
基地局と複数の車両にそれぞれ搭載された移動局とを通信可能に接続した通信手段を備え、
前記基地局は、前記移動局から受信した最新の車両位置情報と、現在の車両の実車、空車、回送、休憩、観貸等の車両識別情報とに基づいて、需要予測の多い配置先地区の所定の距離以内に位置する空車車両を検索し、
前記基地局は、該当する空車車両に需要予測の多い配置先地区への移動及び当該配置先地区における需要予測の最も多い周回ルートを指令することを特徴とするタクシーの最適配置システム。
【請求項２】
前記基地局は、
現在時刻における複数の配置先地区毎の需要予測を算出する需要予測算出手段と、
前記需要予測算出手段により算出した需要予測の多い配置先地区への移動及び当該配置先地区における需要予測の最も多い周回ルートを指令する配車手段と、
を備えたことを特徴とする請求項１に記載のタクシーの最適配置システム。
【請求項３】
前記移動局は、
前記車両位置情報を検出する車両位置検出手段と、
前記車両識別情報を検出する車両状態識別手段と、
前記基地局から指令された配置先地区の地図データを表示する表示手段と、により構成され、
前記移動局は、前記通信手段を介して、前記車両位置情報及び前記車両識別情報を前記基地局へ送信するとともに、前記基地局からの需要予測の多い配置先地区への移動と、当該配置先地区における需要予測の最も多い周回ルートとを受信するように構成したことを特徴とする請求項１又は２に記載のタクシーの最適配置システム。
【請求項４】
前記基地局は、
少なくとも営業圏が含まれた地図データを複数の配置先地区に区画して記憶した地図データ記憶手段と、
電話予約に対して短時間で迎車可能な車両を検索して決定する予約配車手段と、
登録された会員の習慣的ルートを含む個人情報を記憶した会員情報記憶手段と、
前記複数の配置先地区別に月別、曜日別及び時間帯別の実車台数を実車実績情報として記憶した実車実績記憶手段と、
を備えたことを特徴とする請求項２に記載のタクシーの最適配置システム。
【請求項５】
前記基地局は、
月単位の実車実績の増減割合を表す月係数及び曜日単位の実車実績の増減割合を表す曜日係数が記憶された係数記憶手段を備え、
前記需要予測算出手段は、前記実車実績情報と前記月係数及び前記曜日係数とに基づいて、現在時刻における前記複数の配置先地区毎の需要予測を算出するように構成したことを特徴とする請求項４に記載のタクシーの最適配置システム。
【請求項６】
前記移動局の前記表示手段は、
移動先に指定された配置先地区における需要予測の最も多い周回ルートを表示することを特徴とする請求項３に記載のタクシーの最適配置システム。
【請求項７】
前記移動局の前記表示手段は、
予め登録されている会員毎の習慣的ルートを、会員の指示に基づいて表示することを特徴とする請求項３又は６に記載のタクシーの最適配置システム。
【請求項８】
前記実車実績記憶手段に記憶された地区毎の実車実績情報は、
前記複数の配置先地区の前記周回ルートを走行中の車両が空車状態から実車状態に変更された場合の実車実績情報と、
前記複数の配置先地区を実車状態で走行中の車両が乗車待ちの客を発見した場合の乗車待ち実績情報と、を含むことを特徴とする請求項５に記載のタクシーの最適配置システム。
【発明の詳細な説明】
【技術分野】
【０００１】
本発明は、タクシー事業の実車実績の向上を図ることができる空車車両の最適な配置位置を決定するタクシーの最適配置システムに関する。
【背景技術】
【０００２】
従来、公共交通機関として少人数の乗客（以下、お客様という）を輸送するタクシー事業がよく知られている。このようなタクシー事業では、複数台のタクシー（以下、車両という。）を用いて、駅や空港などに設けられたタクシー乗り場に車両を待機させてお客様の獲得を図っている。また、人口が密集した都市部においては、お客様を乗車可能な空車車両（空車が外部のお客様からわかるように表示した車両）を走行（所謂、流し営業）させて、空車車両を見つけたお客様の乗車の意思（所謂、手を挙げる。）に応じて停車することでお客様の獲得を図っている。さらに、電話で指定された場所（乗車地及び目的地）や時間を予約（以下、電話予約という）として受け付けて、空車車両を配車する迎車サービスなども行っている。
【０００３】
上記のようなタクシー事業では、お客様が空車車両に乗車した回数（以下、実車実績という）を増加させることが売り上げの向上及び利益の確保に繋がるため、お客様を獲得出来る確率の高い効率の良い配車を行うことが重要である。
【０００４】
このため、お客様の電話予約に応じて、迎車サービスに係る車両を効率よく配置して、迎車にかかる時間を短縮し、利用者の満足度を向上させる待機車両配置システムが開示されている（特許文献１を参照。）。
【０００５】
また、地域別の車両の実車実績に応じた需要予測に基づいて、需要が多いと予測される地域に、空車状態の車両を効率良く配置する車両配置システムが開示されている（特許文献２を参照。）。
【先行技術文献】
【特許文献】
【０００６】
【特許文献１】特開２００５−２８４５４１号公報
【特許文献２】特開２００７−１２９３０２号公報
【発明の概要】
【発明が解決しようとする課題】
【０００７】
しかしながら、上述した特許文献１は、あくまで電話予約に応じた迎車サービスに係る待機車両配置システムであり、電話予約に係るお客様のリピート率の向上は見込めるが、その他の営業形態（例えば、流し営業など）に関しては、車両の実車回数の向上は望めなかった。
【０００８】
また、特許文献２は、需要が多いと予測される地域に多くの空車状態の車両を配置することができるため、流し営業においてお客様の獲得の向上は見込めるが、指定された地域における流し営業の走行ルートなどは車両を運転する運転手の経験や勘に基づいた判断により決定されていた。このため、結局は運転手の熟練度によりお客様を獲得する実績（所謂、実車実績）に差がつき、折角、需要が多く見込める地域に複数の空車状態の車両を配置しても、配置された全ての車両の実車実績を向上させることができなかった。
【０００９】
本発明は、タクシー事業における営業形態（電話予約、流し営業など）に関わらず自動的に需要が多く見込める地域に対して最適に空車状態の車両の配置が決定され、なおかつ、個々の運転手の熟練度に負うことなく、効率よくお客様を獲得でき、実車実績の向上を図ることができるタクシーの最適配置システムを提供することを目的とする。
【課題を解決するための手段】
【００１０】
上記目的を達成するために、請求項１に記載の発明は、基地局と複数の車両にそれぞれ搭載された移動局とを通信可能に接続した通信手段を備え、前記基地局は、前記移動局から受信した最新の車両位置情報と、現在の車両の実車、空車、回送、休憩、観貸等の車両識別情報とに基づいて、需要予測の多い配置先地区の所定の距離以内に位置する空車車両を検索し、前記基地局は、該当する空車車両に需要予測の多い配置先地区への移動及び当該配置先地区における需要予測の最も多い周回ルートを指令することを特徴とするタクシーの最適配置システムとした。
【００１１】
また、請求項２に記載の発明は、請求項１に記載のタクシーの最適配置システムにおいて、前記基地局は、現在時刻における複数の配置先地区毎の需要予測を算出する需要予測算出手段と、前記需要予測算出手段により算出した需要予測の多い配置先地区への移動及び当該配置先地区における需要予測の最も多い車両の周回ルートを指令する配車手段と、を備えたことを特徴とする。
【００１２】
また、請求項３に記載の発明は、請求項１又は２に記載のタクシーの最適配置システムにおいて、前記移動局は、前記車両位置情報を検出する車両位置検出手段と、前記車両識別情報を検出する車両状態識別手段と、前記基地局から指令された配置先地区の地図データを表示する表示手段と、により構成され、前記移動局は、前記通信手段を介して、前記車両位置情報及び前記車両識別情報を前記基地局へ送信するとともに、前記基地局からの需要予測の最も多い配置先地区への移動と、当該配置先地区における需要予測の多い車両の周回ルートと、を受信するように構成したことを特徴とする。
【００１３】
また、請求項４に記載の発明は、請求項２に記載のタクシーの最適配置システムにおいて、前記基地局は、少なくとも営業圏が含まれた地図データを複数の配置先地区に区画して記憶した地図データ記憶手段と、電話予約に対して短時間で迎車可能な車両を検索して決定する予約配車手段と、登録された会員の習慣的ルートを含む個人情報を記憶した会員情報記憶手段と、前記複数の配置先地区別に月別、曜日別及び時間帯別の実車台数を実車実績情報として記憶した実車実績記憶手段と、を備えたことを特徴とする。
【００１４】
また、請求項５に記載の発明は、請求項４に記載のタクシーの最適配置システムにおいて、前記基地局は、月単位の実車実績の増減割合を表す月係数及び曜日単位の実車実績の増減割合を表す曜日係数が記憶された係数記憶手段を備え、前記需要予測出手段は、前記実車実績情報と前記月係数及び前記曜日係数とに基づいて、現在時刻における前記複数の配置先地区毎の需要予測を算出するように構成したことを特徴とする。
【００１５】
また、請求項６に記載の発明は、請求項３に記載のタクシーの最適配置システムにおいて、前記移動局の前記表示手段は、移動先に指定された配置先地区における需要予測の最も多い車両の周回ルートを表示することを特徴とする。
【００１６】
また、請求項７に記載の発明は、請求項３又は６に記載のタクシーの最適配置システムにおいて、前記移動局の前記表示手段は、予め登録されている会員毎の習慣的ルートを、会員の指示に基づいて表示することを特徴とする。
【００１７】
また、請求項８に記載の発明は、請求項５に記載のタクシーの最適配置システムにおいて、前記実車実績記憶手段に記憶された地区毎の実車実績情報は、前記複数の配置先地区の前記周回ルートを走行中の車両が空車状態から実車状態に変更された場合の実車実績情報と、前記複数の配置先地区を実車状態で走行中の車両が乗車待ちの客を発見した場合の乗車待ち実績情報と、を含むことを特徴とする。
【発明の効果】
【００１８】
請求項１の発明によれば、基地局と複数の車両にそれぞれ搭載された移動局とを通信可能に接続した通信手段を備え、基地局は、移動局から受信した最新の車両位置情報と、現在の車両の実車、空車、回送、休憩、観貸等の車両識別情報とに基づいて、需要予測の多い配置先地区の所定の距離以内に位置する空車車両を検索し、該当する空車車両に需要予測の多い配置先地区への移動及び当該配置先地区における需要予測の最も多い周回ルートを指令する。この場合、基地局により検索対象となる車両は、需要予測の多い配置先地区の所定の距離以内において実車から空車へと車両の状態が変更された車両、又は、需要予測の多い配置先地区の所定の距離以内の配車先地区において、一定の時間（例えば、１５分間）空車状態が継続している車両（以下、見込み空車車両という場合がある。）である。このように、空車車両に対して、需要予測の多い配置先地区への移動及び当該配置先地区における需要予測の最も多い周回ルートを指令することで、お客様の実車実績を向上させる確率の高い効率のよいタクシーの最適配置システムを提供することができる。
【００１９】
請求項２の発明によれば、基地局は、現在時刻における複数の配置先地区毎の需要予測を算出する需要予測算出手段と、需要予測算出手段により算出した需要予測の多い配置先地区への移動及び当該配置先地区における需要予測の最も多い車両の周回ルートを指令する配車手段とを備えているため、現在の時刻に応じて刻々と変化する需要予測の多い配置先地区及び当該配置先地区における需要予測の最も多い周回ルートの中から、最適な配置先地区及び周回ルートを決定することが可能となる。
【００２０】
請求項３の発明によれば、移動局は、車両位置情報を検出する車両位置検出手段と、車両識別情報を検出する車両状態識別手段と、基地局から指令された配置先地区の地図データを表示する表示手段と、により構成され、移動局は、通信手段を介して、車両位置情報及び車両識別情報を前記基地局へ送信するとともに、基地局からの需要予測の多い配置先地区への移動と、当該配置先地区における需要予測の最も多い車両の周回ルートとを受信する構成としている。このため、基地局は、移動局から受信した最新の車両位置情報及び車両識別情報に基づいて、当該移動局に対して最適な需要予測の多い配置先地区への移動と、当該配置先地区における需要予測の最も多い周回ルートとを指令することができる。なお、移動局から基地局へ通信手段を介して送信される車両位置情報及び車両識別情報の送信タイミングは、車両の識別情報が変更（例えば、実車から空車へされた場合）されたことを契機として、自動的に移動局から基地局へ送信される。また、移動局の表示手段により表示される地図データは、当該車両が配置される配置先地区の一覧表示した図表と、それを地図に反映した地図データである。
【００２１】
請求項４の発明によれば、基地局は、少なくとも営業圏が含まれた地図データを複数の配置先地区に区画して記憶した地図データ記憶手段と、電話予約に対して短時間で迎車可能な車両を検索して決定する予約配車手段と、登録された会員の習慣的ルートを含む個人情報を記憶した会員情報記憶手段と、複数の配置先地区別に月別、曜日別及び時間帯別の実車台数を実車実績情報として記憶した実車実績記憶手段と、を備えている。このため、基地局は、移動局に対して地図データ記憶手段に記憶された営業圏内の配置先地区の地図データを送信することができる。また、予約配車手段により電話予約によるお客様に対して最短の時間で迎車可能な空車車両を決定することができる。さらに、実車実績記憶手段に記憶された複数の配置先地区別の月別、曜日別及び時間帯別に収集された最新の実車実績情報に基づいて、需要予測の多い配置先地区と当該配置先地区における需要予測の最も多い周回ルートとを決定することができる。
【００２２】
請求項５の発明によれば、基地局は、月単位の実車実績の増減割合を表す月係数及び曜日単位の実車実績の増減割合を表す曜日係数が記憶された係数記憶手段を備え、需要予測算出手段は、実車実績情報と月係数及び曜日係数とに基づいて、現在時刻における前記複数の配置先地区毎の需要予測を算出する。これにより、係数記憶手段に記憶されている月係数及び曜日係数により、需要予測算出手段により算出した需要予測を補正できるため、より現実に近似した需要予測を算出することが可能となる。この係数記憶手段に記憶されている月係数及び曜日係数は、より実績に密着した需要予測のための補正手段である。
【００２３】
請求項６の発明によれば、移動局の表示手段は、移動先に指定された配置先地区における需要予測の最も多い車両の周回ルートを表示するため、例えば、経験の浅い初心者等の運転手の車両でも、お客様の実車実績を向上させる確率の高い効率のよい流し営業を行うことが可能となる。
【００２４】
請求項７の発明によれば、移動局の表示手段は、予め登録されている会員毎の習慣的ルートを、会員の指示に基づいて表示するため、例えば、予め会員として登録されたお客様であれば、いつも利用する習慣的ルート（以下、目的地別行先ルートともいう）を運転手が容易に確認することができ、必ずしも決まった運転手でなくても会員となったお客様が満足できるサービスを均一に提供することができる。ここで、本実施形態における会員毎の習慣的ルートとは、当該会員の迎車位置（例えば、自宅）から予め定められた日常習慣的に利用する目的地（例えば、病院、通勤先等）へのルート（道順）のことである。
【００２５】
請求項８の発明によれば、空車状態（乗車可能な状態）で、手を上げて乗車意思を示したお客様を発見して乗車させた実車実績情報だけではなく、例えば、実車状態で走行中においても、手を上げて乗車意思を示したお客様（つまり、乗車待ちであり、空車状態であれば確実に乗車が見込めたお客様）を発見した場合は、実車実績の可能性があったものだとして、乗車待ちのお客様を発見した位置情報を乗車待ち実績情報として実車実績情報に含めることにより、乗車待ちのお客様の数を正確に把握することにつながり、さらに、お客様を獲得する可能性の高い効率のよい空車車両の配置が可能となる。
【図面の簡単な説明】
【００２６】
【図１】本実施形態に係るタクシーの最適配置システムの構成を説明する図である。
【図２】タクシーの最適配置システムにおける基地局の構成を説明する図である。
【図３】タクシーの最適配置システムにおける移動局の構成を説明する図である。
【図４】タクシーの最適配置システムにおける動作を説明する図である。
【図５】タクシーの最適配置システムにおけるエリア別、曜日別、時間帯別に抽出された実車実績情報を説明する図である。
【図６】タクシーの最適配置システムにおける需要予測算出手段による需要予測を説明する図である。
【図７】タクシーの最適配置システムにおける営業圏の複数の地区に区割りされた地図データを説明する図である。
【図８】タクシーの最適配置システムにおける地区別、月別、曜日別、時間帯別の実車実績を説明する図である。
【図９】タクシーの最適配置システムにおける地区別の周回ルートを説明する図である。
【図１０】タクシーの最適配置システムにおける車両状態識別手段の構成を説明する図である。
【図１１】タクシーの最適配置システムにおける係数記憶手段に記憶されている月係数を説明する図である。
【図１２】タクシーの最適配置システムにおける係数記憶手段に記憶されている曜日係数を説明する図である。
【図１３】タクシーの最適配置システムにおける移動先エリアへの移動ルートを説明する図である。
【図１４】タクシーの最適配置システムにおける目的地への複数の移動ルートを説明する図である。
【図１５】タクシーの最適配置システムにおける表示手段のタッチパネルの操作を説明する図である。
【図１６】タクシーの最適配置システムにおける営業実績表の一例を説明する図である。
【発明を実施するための形態】
【００２７】
以下、本実施形態に係るタクシーの最適配置システムの一例について、図面を参照して説明する。
【００２８】
まず、本実施形態におけるタクシーの最適配置システムの構成の概要を、図１を参照して説明する。図１はタクシーの最適配置システムの構成を説明する図である。本実施形態におけるタクシーの最適配置システムを運用するタクシー事業者（以下、事業者という）は、複数の運転者及び複数の車両を保有し、所定の営業区域において営業の認可を受けた法人である。
【００２９】
本実施形態におけるタクシーの最適配置システムは、図１に示すように、管理センター１０に設けられた基地局１００と、複数の車両２０にそれぞれ搭載された移動局２００とが、無線３００及びネットワーク回線５００を介して相互に通信可能に接続されている。この無線３００及びネットワーク回線５００は、本実施形態における基地局１００と移動局２００とを相互に通信可能に接続した通信手段の一例である。
【００３０】
詳細は後述するが、本実施形態においては、管理センター１０の基地局１００は、複数の車両２０に搭載された移動局２００から最新の車両識別情報及び車両位置情報を、通信手段を介して取得し、取得した車両識別情報に応じた最適な車両の移動を指示する。
【００３１】
無線３００は、基地局１００に設置された無線アンテナ１０１と、移動局２００に設置された無線アンテナ２０１とを介して音声による交信を行うものであり、例えば、電話予約における迎車サービスが発生した場合に、基地局１００に駐在するオペレータは、お客様の氏名、迎車位置（住所）及び迎車時間などを、指示対象となる車両２０の移動局２００へ音声で指示する。また、無線３００にはアナログ通信方式やデジタル通信方式のものがあり、何れの通信方式を用いてもよいが、本実施形態では限られたタクシー無線の周波数を効率良く利用する為のデジタル通信方式が用いられる。また、無線３００にデジタル通信方式を用いることで、音声データだけではなく画像データなども基地局１００と移動局２００との双方向に送受信可能とすることができる。
【００３２】
ネットワーク回線５００は、周知の公衆通信回線（携帯電話通信回線、インターネット回線など）であり、本実施形態における基地局１００と移動局２００との通信手段は、上記の無線３００だけではなく、ネットワーク回線５００によっても接続されている。そして、ネットワーク回線５００を介して、後述の車両位置検出手段や車両状態識別手段などにより生成された最新の車両識別情報や車両位置情報が、移動局２００から基地局１００へ送信される。また、基地局１００から移動局２００へは、これも後述の配車手段により決定された移動先の地区情報が送信される。
【００３３】
タクシーの最適配置システムにおける基地局１００の構成の概要を、図２を参照して説明する。図２はタクシーの最適配置システムにおける基地局１００の構成を説明する図である。
【００３４】
基地局１００は、記憶部１１０（地図データ記憶手段１１１、実車実績記憶手段１１２、係数記憶手段１１３、会員情報記憶手段１１４）、制御部１２０、無線通信制御部１３０、外部通信Ｉ／Ｆ制御部１４０、電話予約登録部１５０、表示装置１６０、入力装置１７０などで構成されている。
【００３５】
制御部１２０は、図示しない演算装置としてのＣＰＵや記憶装置としてのＲＯＭ、ＲＡＭ、ＨＤＤ（Ｈａｒｄ  Ｄｉｓｋ  Ｄｒａｉｖｅｒ）、などから構成されており、ＲＯＭ又はＨＤＤに予め記憶されている各種手段（後述の需要予測算出手段、配車手段など）を実行するための各種プログラムをＣＰＵが読み出して実行する。また、入力装置１７０に対する所定の操作に応じて、本実施形態におけるタクシーの最適配置システムに係る各種情報を表示装置１６０に表示させる制御を実行する。
【００３６】
記憶部１１０は、大容量のＨＤＤや不揮発性のフラッシュメモリなどで構成され、タクシーの最適配置システムを運用するための各種データ（地図データ記憶手段１１１、実車実績記憶手段１１２、係数記憶手段１１３、会員情報記憶手段１１４など）を記憶する機能を有する。
【００３７】
記憶部１１０における地図データ記憶手段１１１は、少なくとも営業圏が含まれた全体の地図データ（図７参照）と、複数の地区（以下、エリアという）毎に区画された地図データ（図９参照）とを記憶している。実車実績記憶手段１１２は、複数のエリア毎に、月別、曜日別、時間帯別に発生した実車台数を実車実績情報として記憶している。
【００３８】
係数記憶手段１１３は、月係数及び曜日係数等の各種係数を記憶している。月係数は、図１１に示すように年間を通した月単位の実車実績の平均値に対して、各月の実車実績の増減比率を示すものであり、月毎の実車実績の増減割合の比率が設定されている。曜日係数は、図１２に示すように年間を通した曜日単位の実車実績の平均値に対して、各曜日の実車実績の増減比率を示すものであり、曜日毎の実車実績の増減割合の比率が設定されている。なお、図１１及び図１２に示す月係数及び曜日係数は、営業圏の市場動向の変化に応じてその都度変更されるものである。
【００３９】
会員情報記憶手段１１４は、登録された会員の目的地別の行先ルート（以下、習慣的ルートという）を含む個人情報などが記憶されている。
【００４０】
無線通信制御部１３０は、基地局１００に設置された無線アンテナ１０１と移動局２００に設置された無線アンテナ２０１を介して、基地局１００と複数の移動局２００との音声による交信を制御するものである。具体的には、基地局１００の無線通信制御部１３０は、無線３００を介して接続された複数の移動局２００に対して一斉に音声を発信することができるとともに、複数の移動局２００からの音声を受信することができる。
【００４１】
外部通信Ｉ／Ｆ制御部１４０は、ネットワーク回線５００により基地局１００と移動局２００との通信を制御するものである。このネットワーク回線５００を介して、後述の車両位置検出手段や車両状態識別手段などにより生成された最新の車両識別情報や車両位置情報（以下、車両情報ともいう）が移動局２００から基地局１００へ送信される。また、基地局１００から移動局２００へは、これも後述の配車手段により決定された車両の移動先のエリアが送信される。
【００４２】
電話予約登録部１５０は、お客様からの電話予約を受け付けるものであり、図示しない公衆電話回線網を介した電話によるお客様の乗車予約を、当該お客様の迎車位置（例えば、住所など）の近距離に位置する空車車両に割り当てる予約配車手段として機能する。予約配車手段は電話予約のお客様を待たせることなく、空車車両を手配することができる周知の最適車両検索自動配車システムである。具体的には、予約配車手段は、お客様からの電話予約を受け付けると、当該お客様が指定する迎車位置に基づいて、最も早くお迎えにいける空車車両を検索して決定し、当該空車車両に対してお客様への迎車を指示する。
【００４３】
電話予約登録部１５０は、お客様が会員として登録されていた場合、記憶部１１０の会員情報記憶手段１１４に予め登録されている会員情報（会員毎に予め決められた目的地などに到達するための習慣的ルート等）を、お客様の迎車に向かう車両の移動局２００に、本実施形態にかかる通信手段を介して迎車の指示と併せて送信する。これにより、迎車を指示され会員情報を受信した車両の運転手は、当該会員情報を利用して、速やかに会員であるお客様の習慣的ルートを把握することができる。また、流し営業中の空車車両に乗車したお客様が会員だった場合は、会員であることの指示を受けた運転手からの要請に応じて、基地局１００は、記憶部１１０の会員情報記憶手段１１４に予め登録されている会員情報を、会員であるお客様が実車状態となった車両に発信することで、当該車両の運転手は、速やかにお客様の習慣的ルートを把握することができる。
【００４４】
つまり、本実施形態におけるタクシーの最適配置システムでは、当該タクシーの最適配置システム配下の全ての車両の移動局２００に、基地局１００から会員情報を送信できるため、決まった運転手が運転する車両だけではなく、全ての運転手が運転する車両で、会員となったお客様が満足できるサービスを均一で提供することが可能である。
【００４５】
表示装置１６０は、表示部分にタッチパネルセンサなどの機能有する複数の液晶ディスプレーから構成されている。制御部１２０は、後述の入力装置１７０の操作に応じて、現在稼働中の複数の車両の最新の車両情報を、少なくとも営業圏が含まれた全体の地図データ（図７参照）に重ねて表示装置１６０に表示することで、本実施形態におけるタクシーの最適配置システムの稼働状況を基地局１００に常駐する管理者が容易に把握できる構成としている。
【００４６】
また、表示装置１６０には、入力装置１７０の所定の操作（エリア別、月別、曜日別、時間帯別などの指定）に応じて、該当するエリア別の乗車実績を含む地図データ（図９参照）を表示させることもできる。このようにエリア別の周回ルートにおける実車実績を、任意（エリア、時間、日毎、曜日、月別）に抽出して集計し、管理者が一目で把握できるように表示装置１６０に表示することで、エリアや周回ルートの分析を行うことができ、エリアや周回ルートの選定や変更に役立てることができる。
【００４７】
入力装置１７０は、キーボード、マウス、タッチパネルセンサなどの各種入力機器から構成されており、基地局１００に常駐する管理者により所定の操作を行うことが可能な構成としている。制御部１２０は、基地局１００の管理者による入力装置１７０の所定の操作に応じて、上述したタクシーの最適配置システムの稼働状況、エリア別の乗車実績を含む地図データなどを表示装置１６０に表示させる制御を行う。
【００４８】
タクシーの最適配置システムにおける移動局２００の構成の概要を、図３を参照して説明する。図３はタクシーの最適配置システムにおける移動局２００の構成を説明する図である。
【００４９】
移動局２００は、車両位置検出手段２１０、車両状態識別手段２２０、表示手段２３０、制御部２５０、無線通信制御部２４０、外部通信Ｉ／Ｆ制御部２６０などで構成されている。
【００５０】
車両位置検出手段２１０は、周知のＧＰＳ（Global  Positioning  System）の機能を有する。つまり、複数のＧＰＳ衛星が発信する電波を利用し、移動局２００が搭載された車両位置情報（緯度・経度・高度など）を数ｃｍから数十ｍの誤差で割り出すことができる。なお、車両位置検出手段２１０としては、ＧＰＳに限られるものではなく車両の現在位置を割り出すことができるものであればよい。ここで検出された車両位置情報は、外部通信Ｉ／Ｆ制御部２６０を介して基地局１００に送信される。
【００５１】
車両状態識別手段２２０は、現在の車両識別情報を示すものであり、周知のタクシーメータが用いられる。車両状態識別手段２２０は、詳細は後述するが、複数の操作スイッチを有しており、運転者が複数の操作スイッチを操作することにより、現在の車両識別情報が確定する。この車両識別情報には、乗車（賃走ともいう）、空車、迎車、休憩などの現在の車両の状態を示す情報であり、例えば、空車から乗車へと車両識別状態が切り換わったことを契機として、外部通信Ｉ／Ｆ制御部２６０を介して移動局２００から基地局１００へ送信される。
【００５２】
表示手段２３０は、例えば、液晶ディスプレーなどの表示部分にタッチパネルセンサの機能を有し、指で操作する携帯情報端末（所謂、タブレット型端末）などが用いられ、現在の車両位置情報及びその周辺の地図情報などを表示する機能を有する。本実施形態における表示手段２３０は、少なくとも営業圏が含まれた地図データを表示可能としている。これにより、表示手段２３０は、所定のエリアへの基地局１００からの移動指示を受信すると、移動先のエリア名をメッセージなどの文字情報で表示するとともに、当該エリアの地図データや車両の周回ルートなどを表示可能としている。
【００５３】
制御部２５０は、図示しない演算装置としてのＣＰＵや記憶装置としてのＲＯＭ、ＲＡＭ、ＨＤＤ（Ｈａｒｄ  Ｄｉｓｋ  Ｄｒａｉｖｅｒ）、などから構成されており、ＲＯＭ又はＨＤＤに予め記憶されている各種手段（車両の現在位置や車両状態の送信手段など）を実行するための各種プログラムをＣＰＵが読み出して実行する。
【００５４】
無線通信制御部２４０は、基地局１００に設置された無線アンテナ１０１と移動局２００に設置された無線アンテナ２０１を介して、基地局１００との音声による交信を制御するものである。具体的には、無線通信制御部２４０は、無線３００を介して接続された基地局１００からの音声による指示に対して音声により応答する。
【００５５】
外部通信Ｉ／Ｆ制御部２６０は、ネットワーク回線５００により基地局１００と移動局２００との通信を制御するものである。このネットワーク回線５００を介して、車両位置検出手段２１０や車両状態識別手段２２０などにより生成された最新の車両位置情報や車両識別情報が移動局２００から基地局１００へ送信される。また、基地局１００から移動局２００へは、配車手段により決定された移動先のエリア情報（メッセージ情報、地図、周回ルートなどの画像情報）が送信される。
【００５６】
ここで、図１０を用いて上述した移動局２００が備える車両状態識別手段２２０の構成を説明する。車両状態識別手段２２０としては、周知のタクシーメータなどが用いられるが、本実施形態における車両状態識別手段２２０は、管理センター１０の基地局１００が配下の複数の車両の状態を詳細に把握するための複数（例えば、１１個）の各種ボタンが設けられている。
【００５７】
図１０に示すように、車両状態識別手段２２０は、現在の運賃などを表示する表示部２２１と、車両状態を基地局１００に送信するための複数のボタンから構成されたボタン部２２２とを備えている。
【００５８】
表示部２２１は、お客様が乗車して目的地へ移動している状態での現在の運賃や、車両状態（例えば、お客様が乗車して目的地へ移動している状態である賃走など）を、乗車したお客様が視認できるように表示する。
【００５９】
ボタン部２２２は、車両の状態を詳細に設定するための運転手により操作される１１個のボタンで構成される。図１０に示すように、ボタンＢ１「予備」は機能拡張用の予備ボタンである。ボタンＢ２「回送」は、車両状態が回送中である場合に操作される。ボタンＢ３「観貸」は、当該車両が観覧の為に貸切られている場合に操作される。ボタンＢ４「休憩」は、運転手が食事、燃料補充等のための休憩を開始時する場合に操作される。ボタンＢ５「到着」は、当該車両が迎車指示のあったお客様の指定場所に到着した場合に操作される。ボタンＢ６「トイレ」は、運転手がトイレ休憩中に操作される。ボタンＢ７「了解」は、基地局１００からの電話予約のお客様の迎車指示を受信した場合、又は、配置指示を受信した場合に操作される。
【００６０】
ボタンＢ８「乗込」は、基地局１００からの配置指示を受信した車両が、同時に乗車の意思を表示したお客様を発見した場合に操作される。これにより、基地局１００から配置指示を受信した車両は、ボタンＢ８を操作することで、配置指示を遵守できなかった場合でも、その旨を基地局１００は把握することができ、代替の空車車両を検索して配置指示をやり直すことができ、当該車両は、乗車の意思を表示したお客様を拒否することなく実車させることが可能となる。
【００６１】
ボタンＢ９「閉局」は、勤務時間が終了した場合に操作され、このボタンＢ９を操作することにより、基地局１００からに指示対象車両からは除外されることになる。ボタンＢ１０「実車」は、お客様の乗車開始時に操作される。なお、このボタンＢ１０「乗車」は、お客様に実車して頂くことが出来た位置情報を、実車実績情報として収集するためのものである。ボタンＢ１０の操作により実車実績情報を移動局２００から受信した基地局１００は、月別、曜日別及び時間帯別に営業圏内のエリア別の実車実績情報として実車実績記憶手段１１２に記憶する。
【００６２】
ボタンＢ１１「発見」は、お客様が実車中であり、目的地に移動中の車両が乗車待ちのお客様を発見した場合に操作される。このボタンＢ１１「発見」は、当該車両が空車状態であれば、実車して頂くことが出来たお客様を発見した位置情報を乗車待ち実績情報として収集するためのものである。ボタンＢ１１の操作により乗車待ち実績情報を移動局２００から受信した基地局１００は、月別、曜日別及び時間帯別に当該営業圏内のエリア別の実車実績情報として実車実績記憶手段１１２に記憶することにより、より多くの市場データ収集することが可能となり、その後の当該エリアにおける需要予測の算出に反映させることが可能となる。なお、このボタンＢ１１は、タクシーの最適配置システムを運用する事業者の営業圏内のエリアを走行中の車両でのみ有効である。
【００６３】
上述してきたように、移動局２００の車両状態識別手段２２０が備えるボタン部２２２の複数のボタン（１１個のボタンＢ１〜Ｂ１１）を、運転手が状態の変化に応じて操作したことを契機として、この車両識別情報（つまり、実車、空車、発見など）と、上記車両位置検出手段２１０が検出した車両位置情報とが、外部通信Ｉ／Ｆ制御部２６０を介して基地局１００に送信される。これにより基地局１００は、配下の複数の車両の最新の車両状態（車両識別情報及び車両位置情報）を正確に把握すること可能となる。
【００６４】
なお、基地局１００が配下の複数の移動局２００の車両状態を把握する方法としては、上述したように車両の状態の変化を契機として移動局２００から基地局１００へ最新の車両状態を送信するだけではなく、例えば、基地局１００が配下の複数の移動局２００へ所定時間（例えば、３分）の間隔でポーリング（状態報告指示）して、そのポーリングを受信した移動局２００が、最新の車両状態を基地局１００へ応答するようにしてもよい。このようにすることで、基地局１００は所定時間間隔での配下の複数の移動局２００の最新の車両状態を把握することができ、一定時間（例えば、３０分）車両状態に変化のない車両などを検出して、その対策を講じることも可能となる。
【００６５】
本実施形態における基地局１００及び移動局２００で構成されたタクシーの最適配置システムの動作を、図４〜９を参照して説明する。
【００６６】
図４に示すように、まず、基地局１００は、月別、曜日別、時間帯別の実車実績情報をエリア毎に収集する（Ｓ１０１）。基地局１００は、実車実績を移動局２００から受信した際に、当該移動局２００を搭載した車両の位置情報に基づいて、エリア毎に、月別、曜日別、時間帯別に実車実績情報として基地局１００の実車実績記憶手段１１２に記憶している。
【００６７】
本実施形態においては、営業圏の地図データは、エリア１〜エリア５３の５３のエリアに区画（図７参照）されている。そして、エリア毎に実車実績情報が記憶されている。エリア毎の実車実績情報としては、図８に示すように、「エリア１９」では月別「１２月度」、曜日別「日曜日」、時間帯別「１７：００〜１７：１５」において、合計で２３回の実車実績が発生したことが実車実績記憶手段１１２に記憶されている。
【００６８】
このように、基地局１００の実車実績記憶手段１１２には、事業者が運用する複数の車両の実車実績情報が、所定期間（例えば、７年）分累積されて記憶されている。また、実車実績情報は、所定時間（例えば、午前零時）を契機として、最新の実車実績情報が日毎に記憶更新されるようにしている。これにより、本実施形態においては、最新の実車実績情報に基づいて、後述の配車手段により効率のよい配車を実現可能としている。
【００６９】
基地局１００は、図５に示すように、エリア毎に収集した実車実績情報に基づいて、曜日別、時間帯（例えば、１５分）別にポイントデータとして抽出する（Ｓ１０２）。ここで抽出したポイントデータは、エリア別、エリア内のルート別、曜日別、時間帯別に実車実績情報がポイントとして抽出される。エリア内のルートは、エリア毎に、一つのルート（例えば、エリア０２はルートＡのみ）や複数のルート（例えば、エリア０１はルートＡ、Ｂの二つ、エリア０３はルートＡ、Ｂ、Ｃの三つ）が設定されている。なおエリア内のルート数には特に制限はなく、車両がルートを1周する周回時間（例えば、略１５分）を基準としてルート数が決定される。
【００７０】
基地局１００は、抽出したポイントデータ（実車実績情報）に基づいて、エリア毎に周回ルートを決定する（Ｓ１０３）。例えば、図９に示すように、「エリア１９」においては、「Ａルート」と「Ｂルート」との二つの周回ルートが設定されている。図８に示すように、「エリア１９」における「１２月度」、「日曜日」、「１７：００〜１７：１５」では、「Ａルート」のほうが「Ｂルート」と比較してポイントデータが多い、従って、「エリア１９」における「１２月度」、「日曜日」、「１７：００〜１７：１５」では、ポイントデータの多い「Ａルート」が、「エリア１９」を周回する車両の周回ルートとして指示される。
【００７１】
なお、エリア毎に作成される周回ルートは、当該周回ルートを1周する周回時間（例えば、略１５分）が略均一になるように作成されている。また、エリア毎に作成される周回ルートの数は特に限定されるものでなく、エリア毎に抽出したポイントデータに応じて、一ルート又は複数の周回ルートが作成されることになる。
【００７２】
つまり、上記周回ルートは、所定の時間帯にお客様が乗車する確率の高い複数地点を連結した一定路線である。また、周回ルートは、ここに配車された全空車車両が一定方向（例えば、左車線に沿った左回りの周回方向）に流して周回し、お客様の実車実績の向上を狙うことになる。
【００７３】
基地局１００は、エリア別、曜日別、時間帯別に抽出した実車実績情報に基づいて、現在時刻における需要台数（以下、需要予測台数という。）を予測し、この需要予測台数の多い順に複数のエリアを決定する（Ｓ１０４）。このとき、基地局１００は、エリア別、曜日別、時間帯別（現在時刻が含まれる時間帯）に抽出した実車実績情報と、係数記憶手段１１３に記憶されている月係数及び曜日係数とを乗算した数値を需要予想台数として算出する。
【００７４】
なお、需要予測台数を算出する際に、上記月係数だけではなく、月係数及び曜日係数と同様に、天気係数（天候に応じた実車実績情報を補正する係数）などの各種係数も係数記憶手段１１３に記憶しておき、この各種係数に基づいて需要予測台数を変化させて算出することもできる。これにより、需要予測台数を実際のエリアの状況（お客様として見込める人員の数）に応じた数値とすることができる。
【００７５】
上述してきたＳ１０２〜Ｓ１０４は、基地局１００において、実車実績情報と上述した月係数（月毎の実車実績の増減割合を示す係数）及び曜日係数（曜日毎の実車実績の増減割合を示す係数））とに基づいて、現在時刻における複数のエリア毎の需要予測を算出する需要予測算出手段として機能する。なお、需要予測は、基地局１００の制御部１２０において所定時間（例えば、１５分）ごとに行われ、以下、時間毎に変化する常に最新の重要予測に基づいて空車車両の配置が実行されることになる。
【００７６】
基地局１００の需要予測算出手段は、図６に示すように、曜日別「日曜日」、現在時刻「１７：００」において、「需要予測台数」の多い順に複数（例えば、８個）の「エリア名」、「周回ルート」、「需要予測台数」、「適正車両台数」、「周回車両台数」、「過不足車両台数」を決定する。以下、図６を用いて、上記各項目について説明する。
【００７７】
「エリア名」は、上述した営業圏を５３に区画したエリアを識別するための番号（図７参照）である。なお、「エリア名」としてはエリアの番号などの他に、該当するエリアの地名（例えば、「赤坂」、「板付」）などを用いてもよい。「周回ルート」は、これも上述した空車車両の周回ルート（図９参照）であり、「エリア１９」においてはＡルートが周回ルートとして決定されている。「需要予測台数」は、エリア別、曜日別、時間帯別（現在時刻が含まれる時間帯）に抽出した実車実績情報と、係数記憶手段１１３に記憶されている月係数及び曜日係数とを乗算した数値である。なお、図６に示す「需要予測台数」の数値は、小数点以下を四捨五入した数値である。
【００７８】
「適正車両台数」は、「需要予測台数」に所定係数（例えば、０．８）を乗算して算出した数値である。そして、該当するエリアに「適正車両台数」に該当する空車車両の台数を配置することで、実車実績の向上を図ることが可能となる。このように、「需要予測台数」ではなく「適正車両台数」を該当するエリアの周回ルートに配置する空車車両の台数とすることで、同じタクシー事業が運用する空車状態の車両（以下、空車車両ともいう。）が、同一エリアの周回ルートで乗車待ちのお客様を取り合うことなく、お客様を効率良く獲得することが可能となる。なお、「適正車両台数」の数値は、小数点以下を四捨五入した数値である。
【００７９】
「周回車両台数」は、現在時点での該当するエリアの周回ルートに既に配車された空車車両の台数である。「過不足車両台数」は、現在時点での該当するエリアの「適正車両台数」に対する「周回車両台数」の過不足分の車両の台数である。つまり、図６に示すように、「エリア１９」においては、「適正車両台数」が１２台に対して「周回車両台数」が９台であるので、３台分の空車車両が不足していることになる。このため、不足している３台分の空車車両を、他のエリアから「エリア１９」へ移動させることが必要となる。また、「エリア２３」においては、「適正車両台数」が７台に対して「周回車両台数」が８台であるので、１台分の空車車両が超過していることになる。このため、「エリア２３」を周回中の空車車両のうち１台の空車車両を他のエリアへ移動させる必要がある。
【００８０】
上述したように、本実施形態における基地局１００の需要予測算出手段は、「需要予測台数」の多い複数（例えば、８個）のエリア（「エリア名」）、当該エリアにおける「周回ルート」及び当該周回ルートに配置する最適な台数である「適正車両台数」を決定する。この「エリア名」、「周回ルート」及び「適正車両台数」が需要予測算出手段により算出される需要予測である。
【００８１】
以下、図４を用いたタクシーの最適配置システムの動作の説明に戻る。
基地局１００は、上記需要予測算出手段により決定されたエリア別、曜日別、現在時刻の時間帯別の需要予測（「エリア名」、「周回ルート」及び「適正車両台数」、図６参照）に基づいて、空車車両の移動先エリア（以下、配置先エリアという）を決定し、当該配置先エリアから所定の距離内に位置する空車車両を検索し、該当する空車車両に対して配置先エリアへの移動を指示する（ステップＳ１０５）。このステップＳ１０５は、本実施形態における基地局１００における配車手段として機能する。
【００８２】
配車手段により検索対象となる空車車両は、配置先エリアから所定の距離内に位置する実車から空車へと車両識別情報が変更された空車車両、又は、既に配置先として指定されたエリア（以下、配車元エリアという）を一定時間（例えば、１５分）空車状態で周回中の車両を優先して検索対象としている。また、配車手段は、所定時間（例えば、１５分）間隔で実行される。これは、本願出願人のシミュレーションによれば、自動配置指示の間隔が１５分間隔の方が、３０分、１時間間隔で実行した場合と比較して、例えば、「約７０％〜８０％の確率」の高確率で、しかも、「３０分に一回」の高頻度でお客様を効率良く獲得できるという結果が得られたためである。
【００８３】
実車から空車へと車両識別情報が変更された空車車両の移動局２００には、実車から空車へと車両識別情報が変更された営業圏内のエリアを第一候補とし、需要予測算出手段により決定された「適正車両台数」が多い近距離のエリアを第二候補として移動指示が送信される。移動指示を受信した移動局２００の表示手段２３０は、例えば、図７に示すように、「エリア１９」への移動メッセージが表示される（Ｓ１０５）。
【００８４】
また、基地局１００は、該当する空車車両に対して配置先エリアへの移動を指示する場合に、移動指示だけではなく、配置先エリアへの移動メッセージとともに、配置先エリアへ最短時間で移動可能な移動ルートが指定された地図データを指示することもできる。これにより、図１３に示すように、移動指示を受信した移動局２００の表示手段２３０に、上述した配置先エリアへの移動メッセージとともに、配置先エリアへの最短時間で移動可能な移動ルート（図中の実線表示）が指定された地図データが表示されるので、例えば、運転手が経験の浅い初心者でも、表示された移動ルートに従うことで、最短時間で配置先エリアへの移動が可能となる。
【００８５】
つまり、基地局１００は、配車手段により、複数の車両の移動局２００から受信した最新の車両状態（車両位置情報及び車両識別情報）に基づいて、需要予測算出手段により算出した需要予測の多い配置先エリアの近距離に位置する空車車両を検索し、該当する空車車両に対して、配置先エリアを移動先として指定するとともに、当該配置先エリアにおける車両の周回ルートを指定する。
【００８６】
配車手段を具体的に説明すると、基地局１００は、複数の車両に搭載されている移動局２００から受信した最新の車両状態が記憶され、配車先エリアに「エリア１９」が決定されたとする。すると、図７に示す配置先エリアである「エリア１９」の中心部Ｃから半径Ｈの所定距離内の空車車両（特に、実車から空車へと車両識別情報が変更された空車車両、又は、配置元エリアを一定時間（例えば、１５分）空車状態で周回中の車両を優先して）を検索する。そして、図６に示すように、「エリア１９」においては３台分の「過不足車両台数」があるため、「エリア１９」の近距離に位置する３台の空車車両に対して「エリア１９」への移動を指示する。このとき、半径Ｈの所定距離内に位置する「エリア２２」を周回中の空車車両であっても、図６に示すように「エリア２２」を周回している空車車両は、「適正車両台数」（１０台）」に対して「周回車両台数」（９台）と「適正車両台数」に不足しているため、移動対象の車両から除外する。
【００８７】
これは、「適正車両台数」の多い配置先エリアから半径Ｈの所定距離内に位置し、配置元エリアを周回中の空車車両であっても、配置元エリアを周回中の空車車両の台数が「適正車両台数」に満たない場合は、移動させることで配置元エリアの実車実績（お客様の獲得）が下がる可能性がある。このため、基地局１００は、「適正車両台数」に満たないエリアを走行中の空車車両は自動配置指示の対象からは除外して、他のエリアを周回中の空車車両又は当該エリアに近距離で実車から空車へと車両状態が変化した空車車両を再検索して、該当する空車車両に対して「エリア１９」への移動を指示する。
【００８８】
なお、始業時（つまり、車両基地からの出庫時）の車両の配置は、基地局１００が予め定めた配置先エリアへの移動指示が送信される。その後、１回でも実車になった車両はお客様の降車位置（目的地）まで移動して料金の精算後に再び空車車両となる。このときの車両状態の変化（つまり、実車状態から空車状態への変化）は移動局２００から基地局１００に送信され、基地局１００は、近距離に位置する「需要予測台数」の多い配置先エリアに対する移動指示を、空車車両となった車両の移動局２００に対して送信する。
【００８９】
移動指示を受信した車両は、表示手段２３０に表示（図７参照）された配置先エリアへ向かって移動をする（Ｓ１０６）。
【００９０】
配置先エリアに到着した空車車両は、移動指示されたエリアの周回ルートを周回する（Ｓ１０７）。この周回ルートは、エリア毎に複数の周回ルート（Ａルート又はＢルート）が作成（図９参照）されている場合があり、基地局１００は、移動指示を送信する空車車両に対して、配置先エリアだけではなく、当該配置先エリアにおける周回ルートまで指示する。これにより、配置先エリアに到着した車両の表示手段２３０には周回ルートが表示される。
【００９１】
ここで、図９を用いて移動局２００の表示手段２３０に表示される周回ルートを説明する。図９に示すように、移動局２００の表示手段２３０には、周回ルートを示す地図データＭ１が表示されている。この地図データＭ１には、周回ルートの進行方向を示すルート矢印Ｍ２と、実際に車両の進行方向を変更するときの目印となる建造物名ｂ、ｃ（□□デパート、△△ビルなど）、道路に名付けられた道路名ａ（◎◎通りなど）、十字路の交差点名ｄ（○○交差点）等が表示されている。また、周回ルートを指示するメッセージデータＭ３も地図データＭ１と合わせて表示手段２３０に表示される。このメッセージデータＭ３は、「＊＊＊個別メッセージ＊＊＊、★★Ａルートに進んでください★★、◎◎通りを西に左折、□□デパートを左折、△△ビルを左折、○○交差点を左折」というように、空車車両の周回手順を具体的に説明する為の複数行の文字データが表示される。
【００９２】
上記実施形態では、移動局２００の表示手段２３０に、周回ルートを示す地図データＭ１とメッセージデータＭ３とを同時に表示しているが、表示手段２３０の表示態様はこれに限定されるものではなく、表示手段２３０を複数（例えば、２個）設け、一方に地図データＭ１を表示し、他方にメッセージデータＭ３を表示するようにしてもよい。
【００９３】
以下、図４を用いたタクシーの最適配置システムの動作の説明に戻る。
配置先エリアの定められた周回ルートを周回中の空車車両は、手を上げて乗車意思を示したお客様を発見すると、速やかにお客様を乗車させ、目的地へと移動を開始する（Ｓ１０８）。このとき、空車から実車状態に変化した車両の移動局２００は、現在の車両状態（車両位置情報及び車両識別情報）及びお客様の目的地を基地局１００に送信する。車両状態の変化を受信した基地局１００は、当該車両を、今まで滞在していたエリアの「周回車両台数」から除外する。
【００９４】
また、お客様を乗車させた車両の表示手段２３０には、図１４に示すように、現在地から目的地までの移動ルートを、点線で示す移動ルートＡ、実戦で示す移動ルートＢ及び一点鎖線で示す移動ルートＣのように複数の移動ルートを表示させることもできる。このように、目的地までの移動ルートを複数の移動ルートの中からお客様に選択してもらうことで、例えば、お客様はいつも通勤や買い物などで利用している日常の移動ルートに従って目的地まで移動することができ、お客様に対して安心感を与えることが可能となる。
【００９５】
一般に、タクシーを利用する場合には、経験豊富な運転手は、曜日や時間帯に応じて混雑具合の異なる複数の移動ルートを把握しているため、複数の移動ルートの中から目的地まで最短時間の移動ルートを自ら選択する場合がある。しかしながら、運転手が選択した移動ルートが、お客様が日常利用する移動ルートと異なった場合に、お客様への説明が十分でないと、お客様に不信感を与えトラブルの原因になる虞がある。
【００９６】
また、初心者などの運転手は地理に不案内なため、お客様に移動ルートを訪ねてお客様が指定した移動ルートを目的地までの移動ルートとすることもあるが、これでは、運転手が地理に不案内なことを露呈するばかりか、お客様に対して移動ルートをこまめに指示してもらう必要があり、とてもお客様に安心して目的地まで乗車してもらうことはできない。そこで、図１４に示すように、目的地まで複数の移動ルート（移動ルートＡ〜Ｃ）がある場合に、表示手段２３０に地図データとともに複数の移動ルートを表示し、さらに、お客様自らに移動ルートを選択させることで、目的地までの移動においてお客様に安心感を与え、トラブルの発生を未然に防ぐことが可能となる。
【００９７】
また、上述したように、表示手段２３０に液晶ディスプレーなどの表示部分にタッチパネルセンサを搭載したタブレット型端末を用いた場合、会員登録したお客様が乗車したときに、図１５に示すように、表示手段２３０のタッチパネルセンサ機能を利用して、お客様の氏名、会員番号、電話番号（図１５中の「０９０１２３４５６７」等）を入力することで、基地局１００の会員情報記憶手段１１４に予め登録されている会員情報（お客様の目的地までの習慣的ルートが指示された地図データを含む）を、基地局１００から受信することもできる。これにより、会員であるお客様を乗車した車両の表示手段２３０には当該会員情報を利用したお客様の目的地までの習慣的ルート（目的地別行先ルート）などを表示させることができ、当該車両の運転手は、会員登録したお客様の目的地が表示手段２３０に表示された習慣的ルートであった場合は、当該習慣的ルートに従って目的地まで移動することで、会員登録したお客様にさらに安心して利用してもらうことが可能となる。
【００９８】
また、基地局１００は、配置先エリアの周回ルートを周回中の空車車両に対して、お客様からの電話予約による迎車指示を行う場合がある。これは、上述したように、基地局１００の予約配車手段による配置指示（つまり、電話予約のお客様を迎車するための移動指示）が、配置先エリアの周回ルートを周回中の空車車両に対して行われた場合である（Ｓ１０９）。このとき、配置指示を受信した車両は、今まで滞在していた配置先エリアの「周回車両台数」から除外される。
【００９９】
また、予約配車手段は、電話予約の客様が会員として登録されていた場合、会員情報記憶手段１１４に予め登録されている会員情報（お客様の目的地までの習慣的ルートが指示された地図データを含む）をお客様の迎車に向かう車両の移動局２００に、迎車の指示と併せて発信する。これにより、迎車を指示され会員情報を受信した車両の運転手は、当該会員情報を利用して、速やかにお客様の目的地までの習慣的ルート（目的地別行先ルート）などを把握することができる。
【０１００】
電話予約による配置指示を受けた車両はお客様のお迎え場所に移動して、お客様を乗車させ、目的地へと移動を開始する（Ｓ１１０）。このとき、配置指示を受けた車両は、基地局１００の予約配車手段による配置指示を受けた時点で、空車から予約の車両識別状態となり、お客様を迎車して乗車させた時点で、予約から実車の車両識別状態となる。この車両識別状態の変化は車両位置情報とともに、車両の移動局２００から基地局１００に送信される。
【０１０１】
お客様の目的地に到着した車両は、料金の精算が終了した時点で、車両識別状態が実車から空車へ変化し、この車両識別状態の変化は、車両の移動局２００から現在の車両位置情報とともに基地局１００に送信される（Ｓ１１１）。
【０１０２】
基地局１００は、空車となった車両に対して、上述したＳ１０５に戻り、新たな配置先エリアを指示する。このとき、基地局１００は、空車となった車両の移動局２００から受信した最新の車両位置情報が、例えば、営業圏外であった場合は、最も近距離であって、かつ、上述した需要予測算出手段で算出された重要予測の多い営業圏内のエリアを配置先エリアとして指示する。以下、図４に示すＳ１０５〜Ｓ１１１を繰り返し実行することで、空車車両に対する実車実績の向上を図ることができるタクシーの最適配置システムとすることができる。
【０１０３】
上述してきたように、本実施形態においては、基地局１００は、実車実績記憶手段１１２（図２参照）に記憶されている乗車実績情報に基づいて、需要予測算出手段により需要予測を算出し、この需要予測の多いエリアを優先的に配置先エリアとして決定し、この配置先エリアの近傍に位置する空車車両（以下、対象車両という）を決定し、当該対象車両の移動局２００に対して、決定された配置先エリアへの移動及び配置先エリアにおける周回ルートを指示している。
【０１０４】
ここで、基地局１００は、対象車両に搭載されている移動局２００との通信により、配置先エリアへの移動指示後の対象車両の車両情報（車両識別情報及び車両位置情報）を営業実績情報として収集する営業実績収集手段と、収集した営業実績情報を記憶する営業実績記憶手段と、営業実績記憶手段に記憶した営業実績情報に基づいて、当該対象車両の営業実績を評価する営業実績評価手段と、を備えることもできる。
【０１０５】
この営業実績評価手段は、基地局１００に常駐する管理者が、上述した入力装置１７０を用いて、集計期間、対象者車両及び運転手氏名などの指定を行った場合に、該当する対象車両の営業実績情報を営業実績記憶手段より抽出し、営業実績表（図１６参照）を作成して表示装置１６０に表示させる機能を有するものである。以下、図１６を参照して、営業実績評価手段により作成される営業実績表の一例を説明する。
【０１０６】
図１６に示す営業実績表は、「２０１２／０４／０１〜２０１２／０４／３０」までの一か月間の集計期間、対象車両「８号車」及び運転手氏名「トマト太郎」が管理者により指定されたときの営業実績表である。この集計期間や対象車両及び運転手氏名は、基地局１００に常駐する管理者が、入力装置１７０によって任意に設定可能としている。また、対象車両「８号車」及び運転手氏名「トマト太郎」は、個別ではなく複数の車両で構成される班単位などで設定することも可能である。
【０１０７】
図１６に示すように、営業実績表の略左半分には、営業日ごとの業務時間（例えば、昼営業６：００〜１８：００）における対象車両の車両情報が表示されている。この車両情報は、「移動：配置先エリアへの移動時間」、「周回：配置先エリアの周回ルートにおける周回時間」、「休憩：運転手のトイレや食事休憩時間」、「実車：お客様が実車したときの目的地までの移動時間」を、１時間ごとに種類の異なる横棒による棒グラフとして表示されている。
【０１０８】
営業実績表の略右半分には、基地局１００から移動局２００への配置先エリアへの指示回数などの営業関連の情報が、営業日単位で集計されて表示されている。この「指示／営業関連」の集計情報は、「エリア指示：配置先エリアへの移動指示をした回数」、「エリア移動：配置先エリアへ移動した回数」、「周回：配置先エリアの周回ルートに到着して周回した回数」、「周回ＨＩＴ：周回ルートを周回中にお客様を獲得した回数」、「営回：お客様が実車した総回数」、「出庫時間：車両基地（営業所等）から出庫した時間」、「帰庫時間：車両基地（営業所等）に帰庫した時間」、「稼働時間：営業走行に要した時間」「休憩時間：稼働時間内に運転手が食事休憩等に要した合計時間」などである。
【０１０９】
このように、対象車両（運転手）毎に営業実績を任意に集計して表示装置１６０に営業実績表として表示することで、管理者は、運転手毎の様々な問題点を把握することが可能となる。図１６から把握できる問題点としては、例えば、営業実績から配置先エリアへの移動時間が所定時間（例えば、１５分）より長い、営業回数が全体の平均標準回数（例えば、２２回）より少ない（図１６中の営回が○で囲まれた箇所）、休憩時間が長いなどがある。
【０１１０】
そして、問題点が明らかになることで、管理者は問題点の解決手段を運転手個別に指導することが可能となる。つまり、配置先エリアへの移動時間が所定時間（例えば、１５分）より長い場合は、運転手が営業圏内の地理に慣れてなく、移動局２００の表示手段２３０に、地図データとして表示された配置先エリアへの最短時間で移動可能な移動ルート（図１３参照）に従って移動できていないことが考えられるため、移動ルートに従って移動するように指導することが可能となる。
【０１１１】
このように、基地局１００に、営業実績収集手段、営業実績記憶手段及び営業実績評価手段を備えることで、本実施形態のタクシーの最適配置システムをより効率よく運用することができ、乗車実績の向上を図ることが可能となる。また、図１６に示す営業実績表のように、営業実績情報を運転手毎に個別集計して表示することで、管理者は、運転手毎の様々な問題点の解消を図ることが可能となるので、この営業実績収集手段、営業実績記憶手段及び営業実績評価手段は、運転手の能率の良い効率的な稼働行動を評価するシステムとして機能することになる。
【０１１２】
以上、上述してきた本実施形態におけるタクシーの最適配置システムによれば、上述した需要予測算出手段により算出した営業圏内のエリア別、曜日別、時間別の需要予測に基づいて、「適正車両台数」の多いエリアを優先的に配置先エリアとして決定し、この配置先エリアの近傍に位置する空車車両に対して、当該配置先エリアへの移動を指示している。これにより、空車車両の移動に要する時間の短縮や、移動に伴う燃料等の消耗を抑えることができる。
【０１１３】
また、所定時間（１５分）毎の現在時刻において、需要予測算出手段により算出される需要予測の多いエリアを配置先エリアとしているため、最もお客様を獲得できる確率の高いエリアに、効率よく空車車両を配車することができ、特に、実車から空車へと車両識別情報が変更された空車車両、又は、配置元エリアを一定時間（例えば、１５分）空車状態で周回中の車両を優先して需要予測の多い配置先エリアへの移動対象とするため、空車車両の実車実績の向上を図ることができる。なお、本願出願人によるタクシーの最適配置システムのシミュレーションによれば、本実施形態の本需要予測（つまり「適正車両台数」）を満たすように空車車両を移動させることを所定時間（１５分）毎に実行することで、高確率（約７０％〜８０％の確率）で、しかも、高頻度（３０分に一回）で、空車状態の車両を実車状態の車両とする（つまり、お客様を獲得する）ことが可能となるという結果が得られている。
【０１１４】
さらに、本実施形態においては、単純に「適正車両台数」の多い配置先エリアに、「適正車両台数」を満たす数の空車車両を配置するだけではなく、当該配置先エリアにおいて、最もお客様を獲得する可能性の高い周回ルートを決定し、当該周回ルートに沿って、空車車両を周回させているため、経験の浅い初心者等の運転手の車両でも、お客様の実車実績を向上させる確率の高い効率のよい流し営業を行うことが可能となる。また、運転手は、最も重要な実車実績の向上（つまり、お客様の獲得）に神経を消耗することがなく、その分、一段上の接客サービスなどを提供することが可能となる。
【０１１５】
また、電話予約による迎車サービスにおいて、移動局２００に備えられた表示手段２３０は、予め登録されている会員情報に基づいた習慣的ルート（目的地別行先ルート）を表示するため、例えば、予め会員として登録されたお客様であれば、いつも利用する習慣的ルートを運転手が容易に確認することができ、必ずしも決まった運転手でなくても会員となったお客様が満足できるサービスを均一に提供することができる。
【０１１６】
また、空車状態（お客様が乗車可能な状態）で、手を上げて乗車意思を示したお客様を発見して乗車させた実車実績情報だけではなく、例えば、実車中の走行中の車両においても、手を上げて乗車意思を示したお客様を発見した場合は、実車実績の可能性があったとして、移動局２００ら基地局１００へ乗車待ち実績情報として送信することができるので、営業圏内のエリアの実車実績情報を正確に把握することにつながるとともに、後日同一地点における実車実績の蓄積により、タクシーの最適配置システムの精度及び完成度を向上させることができ、さらに、お客様を獲得する可能性の高い効率のよいタクシーの最適配置システムを提供することができる。
【０１１７】
以上、実施形態を通して本発明を説明してきたが、本発明はこれらに限定されるものではない。また、上述した各効果は、本発明から生じる最も好適な効果を列挙したに過ぎず、本発明による効果は、本実施の形態に記載されたものに限定されるものではない。
【符号の説明】
【０１１８】
１０  管理センター
２０  車両
１００  基地局
２００  移動局
３００  無線
５００  ネットワーク回線
【図１】
2014006890.tif 000003
【図２】
2014006890.tif 000004
【図３】
2014006890.tif 000005
【図４】
2014006890.tif 000006
【図５】
2014006890.tif 000007
【図６】
2014006890.tif 000008
【図７】
2014006890.tif 000009
【図８】
2014006890.tif 000010
【図９】
2014006890.tif 000011
【図１０】
2014006890.tif 000012
【図１１】
2014006890.tif 000013
【図１２】
2014006890.tif 000014
【図１３】
2014006890.tif 000015
【図１４】
2014006890.tif 000016
【図１５】
2014006890.tif 000017
【図１６】
2014006890.tif 000018